(57)【特許請求の範囲】
【請求項１】
無線のシリアルバス伝送路上で信号を送受信する無線通信装置において、
１または複数のホスト通信装置が送信するＭＭＣコマンドフレーム信号を受信することで、自己がデバイス通信装置として接続可能な１または複数のホスト通信装置を検出するホスト検出部と、
前記ホスト検出部で検出したホスト通信装置のホストＩＤ情報により、自己がデバイス通信装置として接続するホスト通信装置を選定するホスト選定部と、
前記ホスト選定部が選定したホスト通信装置と同じネットワークを形成するネットワーク形成部と、
を備えたことを特徴とする、無線通信装置。
【請求項２】
前記ホスト検出部は、複数の物理チャネルをスキャンすることを特徴とする、請求項１に記載の無線通信装置。
【請求項３】
前記ネットワーク形成部は、前記ホスト選定部が選定したホスト通信装置と同じネットワークを形成するために、前記ホスト通信装置と同じ物理チャネルで所定のビーコンを送受信することを特徴とする、請求項１に記載の無線通信装置。
【請求項４】
前記ホスト検出部は、自己がデバイス通信装置として接続可能なホスト通信装置の識別子を事前に収集し、
前記ホスト選定部は、前記事前に収集されたホスト通信装置の識別子と、前記ホスト検出部が検出したホスト通信装置の識別子とを比較して、自己がデバイス通信装置として接続するホスト通信装置を選定することを特徴とする、請求項１に記載の無線通信装置。
【請求項５】
前記ホスト選定部は、前記ホスト検出部が複数のホスト通信装置を検出した場合には、自己がデバイス通信装置として接続可能な複数のホスト通信装置の情報を利用者に表示し、利用者が選択したホスト通信装置を自己がデバイス通信装置として接続するホスト通信装置として選定することを特徴とする、請求項１に記載の無線通信装置。
【請求項６】
前記ホスト選定部は、前記ホスト検出部が今までホストチャネルとして登録された物理チャネルでホスト通信装置を検出できなかった場合には、他のホスト通信装置が存在する物理チャネルを選定することを特徴とする、請求項１に記載の無線通信装置。
【請求項７】
無線のシリアルバス伝送路上で信号を送受信する無線通信方法において、
複数の物理チャネルをスキャンして１または複数のホスト通信装置が送信するＭＭＣコマンドフレーム信号を受信する工程と、
前記所定の信号により、自己がデバイス通信装置として接続可能な１または複数のホスト通信装置を検出する工程と、
前記検出したホスト通信装置のホストＩＤ情報により、自己がデバイス通信装置として接続するホスト通信装置を選定する工程と、
前記選定したホスト通信装置と同じネットワークを形成する工程と、
を含むことを特徴とする、無線通信方法。
【請求項８】
１または複数のホスト通信装置と、前記ホスト通信装置のいずれかと同じネットワークを形成する無線通信装置とを含み、無線のシリアルバス伝送路上で信号を送受信する無線通信システムにおいて、
前記各ホスト通信装置は所定の信号を送信しており、
前記デバイス通信装置は、
複数の物理チャネルをスキャンして前記ホスト通信装置が送信するＭＭＣコマンドフレーム信号を受信することで、自己がデバイス通信装置として接続可能な１または複数のホスト通信装置を検出するホスト検出部と、
前記ホスト検出部で検出したホスト通信装置のホストＩＤ情報により、自己がデバイス通信装置として接続するホスト通信装置を選定するホスト選定部と、
前記ホスト選定部が選定したホスト通信装置と同じネットワークを形成するネットワーク形成部と、
を備えたことを特徴とする、無線通信システム。
【請求項９】
コンピュータを、無線のシリアルバス伝送路上で信号を送受信する無線通信装置として機能させるためのコンピュータプログラムであって、
前記コンピュータに、
複数の物理チャネルをスキャンして１または複数のホスト通信装置が送信するＭＭＣコマンドフレーム信号を受信することで、自己がデバイス通信装置として接続可能な１または複数のホスト通信装置を検出するホスト検出機能と、
前記ホスト検出部で検出したホスト通信装置のホストＩＤ情報により、自己がデバイス通信装置として接続するホスト通信装置を選定するホスト選定機能と、
前記ホスト選定部が選定したホスト通信装置と同じネットワークを形成するネットワーク形成機能と、
を実行させることを特徴とする、コンピュータプログラム。
【発明の詳細な説明】
【技術分野】
【０００１】
本発明は無線通信装置、無線通信方法、無線通信システム、およびコンピュータプログラムにかかり、特に、ワイヤレスＵＳＢ（Wireless Universal Serial Bus：ＷＵＳＢ）規格にて定義されたシリアルバス伝送路上で所定の信号を無線で送受信する無線通信装置、無線通信方法、無線通信システム、およびコンピュータプログラムに関する。
【背景技術】
【０００２】
高速ユニバーサルシリアルバス（ＵＳＢ）規格にて定義されたシリアルバス伝送路上で、所定の信号を送受信することでデータを伝送する方法が一般的に知られている。このシリアルバス伝送路上を伝送されるデータを無線で送受信する方法として、ワイヤレスＵＳＢ規格が定義されている。
【０００３】
ワイヤレスＵＳＢ規格においては、デバイスが接続できるホストの情報を、予め所定のアソシエーションモデルによって交換しておき、デバイスがホストを検索することになっている。これにより、ワイヤレスＵＳＢ規格では、ホストとなる機器に接続または内蔵された無線通信装置が動作する物理チャネルで、デバイスとなる機器に接続または内蔵された無線通信装置が動作する必要がある。
【０００４】
このワイヤレスＵＳＢ規格は、マルチバンドＯＦＤＭ方式のウルトラワイドバンド無線通信技術を用いて、無線伝送される構成になっている。マルチバンドＯＦＤＭ方式のウルトラワイドバンド無線通信では、５２８ＭＨｚ幅のＯＦＤＭサブチャネルを３つ用いて所定の時間間隔で周波数ホッピングする構成になっており、このホッピングパターンの違いで複数の物理チャネルが構成されている。
【０００５】
また、マルチバンドＯＦＤＭ方式のウルトラワイドバンド無線通信システムは、WiMedia Allianceにおいて定義されたDistributed
MAC規格書に準拠して動作することが求められている。このDistributed MAC規格書によると、ワイヤレスＵＳＢ規格にて定義されたホストもデバイスも、電源投入直後には、周囲に存在する他の通信装置の存在を把握し、自律分散的に動作する方法が定義されている。
【０００６】
関連技術として、特開２００４−３６２５４４号公報に開示された技術がある。同文献には、ＵＳＢのホスト側で、ＵＳＢデバイスを検出するためのデバイスディスカバリモジュールを含む構成が開示されている。具体的には、特定のＰＨＹチャネルでアソシエーション（Association）動作を経た後に、ＵＳＢデバイスディスクリプタの交換を行う構成が示されている。
【０００７】
【特許文献１】特開２００４−３６２５４４号公報
【発明の開示】
【発明が解決しようとする課題】
【０００８】
ところで、ワイヤレスＵＳＢ規格に用いられるマルチバンドＯＦＤＭ方式のウルトラワイドバンド無線通信システムにおいては、物理チャネルが異なると、そこで動作する他の通信装置を直接検出できなくなる。
【０００９】
このため、ワイヤレスＵＳＢ規格のシステムにおいて、デバイスとなる機器に接続または内蔵された無線通信装置は、ホストとなる機器に接続または内蔵された無線通信装置の存在する物理チャネルを探し出さなければならない。
【００１０】
また、デバイスとなる機器に接続または内蔵された無線通信装置は、ホストとなる機器に接続または内蔵された無線通信装置の存在するネットワークに参入しなければならない。
【００１１】
ワイヤレスＵＳＢ規格においてデバイスとなる無線通信装置であっても、Distributed MAC規格書の記載では、周囲に存在する通信装置の中から、ワイヤレスＵＳＢ規格のホストとなる無線通信装置の存在を検出する処理が必要となっていた。
【００１２】
特開２００４−３６２５４４号に記載された構成では、ＵＳＢホストとデバイスの双方で利用する特定の物理チャネルが決定していないと、ホストとデバイスで同じ物理チャネルを利用できないという問題があった。また特開２００４−３６２５４４号には、ＵＳＢデバイスを検出するためのデバイスディスカバリモジュールについて記載されているが、新規にＰＡＮ（ネットワーク）に参入した無線通信装置がＵＳＢデバイスであるかをホストが確認しなければならなかった。
【００１３】
具体的には、ＵＳＢディスカバリのためのマルチキャストやブロードキャストのチャネル時間の割当てが必要となっており、さらに新規参入デバイスがＰＮＣで認識されると、USB_FCSLにおいて、コントロール転送でデバイスディスクリプタを読み取る複雑な方法が必要となっていた。
【００１４】
本発明は、従来の無線通信技術が有する上記問題点に鑑みてなされたものであり、本発明の目的は、ワイヤレスＵＳＢ規格に基づいて動作する無線通信装置が、ホストとなる機器に接続された無線通信装置の存在を把握することの可能な、新規かつ改良された無線通信装置、無線通信方法、無線通信システム、およびコンピュータプログラムを提供することである。
【課題を解決するための手段】
【００１５】
上記課題を解決するため、本発明の第１の観点によれば、無線のシリアルバス伝送路上で信号を送受信する無線通信装置が提供される。本発明の無線通信装置（８００）は、１または複数のホスト通信装置（ホストに接続または内蔵された無線通信装置）が送信する所定の信号（コマンド）を受信することで、自己がデバイス通信装置（デバイスに接続または内蔵された無線通信装置）として接続可能な１または複数のホスト通信装置を検出するホスト検出部（８０７）と、前記ホスト検出部で検出したホスト通信装置の識別子により、自己がデバイス通信装置として接続するホスト通信装置を選定するホスト選定部（８１８）と、前記ホスト選定部が選定したホスト通信装置と同じネットワーク（ネットワーククラスタ）を形成するネットワーク形成部（８１８）と、を備えたことを特徴とする。
【００１６】
かかる構成によれば、デバイスとなる無線通信装置において、所定の期間にわたり受信動作を行うことで、ホストとなる無線通信装置の存在を把握できる。そして、受信した所定の情報（ワイヤレスＵＳＢコマンドフレーム情報）に記載されたホストの識別子より、ホストとなる無線通信装置の存在する物理チャネルを検索する方法が得られるという効果を奏する。なお上記において、構成要素に付随して括弧書きで記した参照符号は、理解を容易にするため、後述の実施形態および図面における対応する構成要素を一例として記したに過ぎず、本発明がこれに限定されるものではない。以下も同様である。
【００１７】
本発明の無線通信装置において、様々な応用が可能である。
例えば、前記ホスト検出部は、複数の物理チャネルをスキャンするようにしてもよい。物理チャネルを変えてスキャンを行うことにより、他のチャネルに存在する無線通信装置の存在を把握することができるという効果を奏する。
【００１８】
前記ネットワーク形成部は、前記ホスト選定部が選定したホスト通信装置と同じネットワークを形成するために、前記ホスト通信装置と同じ物理チャネルで所定のビーコンを送受信するようにしてもよい。ホストが存在する物理チャネルでビーコン信号を交換しあうことによって、ホストとなる機器に接続された無線通信装置のネットワーククラスタへ参入する方法が得られるという効果を奏する。
【００１９】
前記ホスト検出部は、自己がデバイス通信装置として接続可能なホスト通信装置の識別子を事前に収集するようにしてもよい。そして、前記ホスト選定部は、前記事前に収集されたホスト通信装置の識別子と、前記ホスト検出部が検出したホスト通信装置の識別子とを比較して、自己がデバイス通信装置として接続するホスト通信装置を選定するようにしてもよい。事前にアソシエーション処理によりホスト識別子を取得しておくことで、ホストの存在する物理チャネルを容易に検出する方法が得られるという効果を奏する。
【００２０】
前記ホスト選定部は、前記ホスト検出部が複数のホスト通信装置を検出した場合には、自己がデバイス通信装置として接続可能な複数のホスト通信装置の情報を利用者に表示し、利用者が選択したホスト通信装置を自己がデバイス通信装置として接続するホスト通信装置として選定するようにしてもよい。自己デバイスと接続可能なホストを複数検出した場合は、接続可能なホスト情報を表示し、利用者が選択したホストの存在する物理チャネルを選定することで、利用者の意図するホストへ接続することができるという効果を奏する。
【００２１】
前記ホスト選定部は、前記ホスト検出部がホスト通信装置を検出できなかった場合には、他のホスト通信装置が存在する物理チャネルを選定するようにしてもよい。自己デバイスと接続可能なホストを検出できなかった場合には、他のＵＳＢホストが存在する物理チャネルを選定することで、新たなホストと認証関係を得ることができるという効果を奏する。
【００２２】
上記課題を解決するため、本発明の第２の観点によれば、無線のシリアルバス伝送路上で信号を送受信する無線通信方法が提供される。本発明の無線通信方法は、複数の物理チャネルをスキャンして１または複数のホスト通信装置（ホストに接続または内蔵された無線通信装置）が送信する所定の信号（コマンド）を受信する工程と、前記所定の信号により、自己がデバイス通信装置（デバイスに接続または内蔵された無線通信装置）として接続可能な１または複数のホスト通信装置を検出する工程と、前記検出したホスト通信装置の識別子により、自己がデバイス通信装置として接続するホスト通信装置を選定する工程と、前記選定したホスト通信装置と同じネットワーク（ネットワーククラスタ）を形成する工程と、を含むことを特徴とする。
【００２３】
上記課題を解決するため、本発明の第３の観点によれば、１または複数のホスト通信装置と、前記ホスト通信装置のいずれかと同じネットワークを形成する無線通信装置とを含み、無線のシリアルバス伝送路上で信号を送受信する無線通信システムが提供される。本発明の無線通信システムにおいて、前記各ホスト通信装置は所定の信号（コマンド）を送信している。前記デバイス通信装置は、複数の物理チャネルをスキャンして前記ホスト通信装置が送信する所定の信号を受信することで、自己がデバイス通信装置（デバイスに接続または内蔵された無線通信装置）として接続可能な１または複数のホスト通信装置を検出するホスト検出部（８０７）と、前記ホスト検出部で検出したホスト通信装置の識別子により、自己がデバイス通信装置として接続するホスト通信装置を選定するホスト選定部（８１８）と、前記ホスト選定部が選定したホスト通信装置と同じネットワーク（ネットワーククラスタ）を形成するネットワーク形成部（８１８）と、を備えたことを特徴とする。
【００２４】
また、本発明の他の観点によれば、コンピュータを、上記第１の観点にかかる無線通信装置として機能させるためのコンピュータプログラムが提供される。より具体的には、本発明のコンピュータプログラムは、前記コンピュータに、複数の物理チャネルをスキャンして１または複数のホスト通信装置（ホストに接続または内蔵された無線通信装置）が送信する所定の信号（コマンド）を受信することで、自己がデバイス通信装置（デバイスに接続または内蔵された無線通信装置）として接続可能な１または複数のホスト通信装置を検出するホスト検出機能（８０７）と、前記ホスト検出部で検出したホスト通信装置の識別子により、自己がデバイス通信装置として接続するホスト通信装置を選定するホスト選定機能（８１８）と、前記ホスト選定部が選定したホスト通信装置と同じネットワーク（ネットワーククラスタ）を形成するネットワーク形成機能（８１８）と、を実行させることを特徴とする。
【００２５】
ここで、コンピュータプログラムはいかなるプログラム言語により記述されていてもよい。また、コンピュータプログラムを記録した、コンピュータにより読み取り可能な記録媒体としては、例えば、ＣＤ−ＲＯＭ、ＤＶＤ−ＲＯＭ、フレキシブルディスクなど、コンピュータプログラムを記録可能な記録媒体として現在一般に用いられている記録媒体、あるいは将来用いられるいかなる記録媒体をも採用することができる。
【発明の効果】
【００２６】
以上のように、本発明によれば、所定の期間にわたり受信動作を行うことで、ホストとなる無線通信装置の存在を把握できる。そして、受信した所定のワイヤレスＵＳＢコマンドフレーム情報に記載されたホストの識別子より、ホストとなる無線通信装置の存在する物理チャネルを検索する方法が得られるという効果を奏する。その他の本発明の効果については、以下の発明を実施するための最良の形態の項においても詳述する。
【発明を実施するための最良の形態】
【００２７】
以下に添付図面を参照しながら、本発明にかかる無線通信装置、無線通信方法、無線通信システム、およびコンピュータプログラムの好適な実施形態について詳細に説明する。なお、本明細書および図面において、実質的に同一の機能構成を有する構成要素については、同一の符号を付することにより重複説明を省略する。
【００２８】
（１）ワイヤレスＵＳＢのシステム構成例（図１、図２）
図１に、ワイヤレスＵＳＢのシステム構成例を示す。
図１では、ワイヤレスＵＳＢの無線ネットワーク（以下、ワイヤレスＵＳＢネットワークという）として、ホスト機能を備える無線通信装置（以下、ホスト通信装置という。）と、ホスト通信装置に接続されるデバイス側の無線通信装置（以下、デバイス通信装置という）を含むシステム構成例を示す。ワイヤレスＵＳＢネットワーク１００は、ホスト通信装置１１０を中心に、その電波到達範囲内に存在するデバイス通信装置１２１〜１２４を端末として接続することで無線ネットワークが形成されている。
【００２９】
このワイヤレスＵＳＢの無線ネットワーク１００がＵＳＢネットワークシステムの１つの接続形態として存在していることを、図２を参照しながら説明する。
【００３０】
ここで上流のＵＳＢホストとなるホストコンピュータ１３０から、ＵＳＢ２．０等のケーブルを介してホスト通信装置１１０が接続され、さらに、下流のＵＳＢとなるデバイス通信装置１２１に、ＵＳＢ２．０等のケーブルを介してモニターＴＶ１３１が接続され、デバイス通信装置１２２に、ＵＳＢ２．０等のケーブルを介してデジタルカメラ１３２が接続され、デバイス通信装置１２３に、ＵＳＢ２．０等のケーブルを用いてビデオレコーダ１３３とビデオカムコーダ１３４が接続され、デバイス通信装置１２４に、ＵＳＢ２．０等のケーブルを介してプリンタ１３５が接続されている。なお図２において、ホスト通信装置１１０とホストコンピュータ１３０間、あるいは、デバイス通信装置１２１〜１２４と機器１３１〜１３５間の接続は、ＵＳＢ２．０等のケーブルに限らず任意に設計変更可能である。
【００３１】
このように、ＵＳＢのネットワークは、ホストを中心にスター型のトポロジーを持ったネットワーク構造を形成する。
【００３２】
（２）スーパーフレームの構成例（図３）
図３に、スーパーフレームの構成例を示す。
図３では、所定の時間でスーパーフレーム周期が定義され、さらにＭＡＳ−０からＭＡＳ−２５５までの２５６個のメディアアクセススロット（ＭＡＳ）に細分化されている状態を示している。スーパーフレーム内には、管理領域としてのビーコン期間（Beacon Period）と、データ伝送領域が配置されている。
【００３３】
ビーコン期間には、所定の間隔でビーコンスロット（Beacon Slot）が設定されており、無線通信装置ごとに固有のビーコンスロットを利用して周囲の無線通信装置との間でパラメータが交換される構成になっている。このビーコン期間の長さは、その時の周囲に存在する無線通信装置数に依存して、必要な長さが決定される。本実施形態では、メディアアクセススロットＭＡＳ−０〜ＭＡＳ−３を用いて、ビーコンスロットＢＳ０〜ＢＳ１１までの計１２個のビーコンスロットが用意されている。
【００３４】
（３）ビーコンスロットの利用設定例（図４）
図４に、ビーコンスロットの利用設定例を示す。
図４では、１つのネットワークグループを構成する各無線通信装置が、周囲の無線通信装置との間で利用されていないビーコンスロットを通知しあうことで、自己の利用するビーコンスロットを選定した結果を示している。
【００３５】
図４に示した一例では、無線通信装置＃１はビーコンスロット２（ＢＳ２）で自己のビーコン（図中、ビーコンを“Ｂ”で示す。以下も同様である。）を送信し、無線通信装置＃２はビーコンスロット３（ＢＳ３）で自己のビーコンを送信し、無線通信装置＃３はビーコンスロット４（ＢＳ４）で自己のビーコンを送信し、無線通信装置＃４はビーコンスロット５（ＢＳ５）で自己のビーコンを送信し、無線通信装置＃５はビーコンスロット６（ＢＳ６）で自己のビーコンを送信している状態を示している。
【００３６】
なお、このネットワークグループに新規参入する無線通信装置のため、必要に応じてビーコンスロット０（ＢＳ０）、ビーコンスロット１（ＢＳ１）、ビーコンスロット７（ＢＳ７）、ビーコンスロット８（ＢＳ８）が確保されている。
【００３７】
（４）ＤＲＰ＿ＭＡＳの設定例（図５）
図５に、ＤＲＰ＿ＭＡＳの設定例を示す。
図５は、ビーコンで付加されるＤＲＰ予約や、ＤＲＰ利用可能なＭＡＳをビットマップ形式で示した図である。
【００３８】
ＤＲＰ＿ＭＡＳの指定（DRP
Allocation）は、図５に示したように、１６ＭＡＳごとに１つのゾーンを示すゾーンビットマップ（０〜１５）と、ゾーン毎にＭＡＳのビットを示すＭＡＳビットマップ（０〜１５）を、組み合わせることによって指定される構成になっている。
【００３９】
例えば、ゾーンビットマップがオール１で、ＭＡＳビットマップのビット１５のみが１に設定されていると、図中太枠Ｘで囲ったＭＡＳ１５、３１、４７、６３、７９、１１１、１２７、１４３、１５９、１７５、１９１、２０７、２２３、２３９、２５５の利用が設定されていることを示す。
【００４０】
（５）ＤＲＰ＿ＭＡＳの中でのアクセス制御（図６）
図６は、利用を設定したＤＲＰ＿ＭＡＳの中でのアクセス制御の実施例である。
図６では、ＤＲＰ予約された領域の最初に、ワイヤレスＵＳＢのホストから、コマンドであるＭＭＣが送信される。このＭＭＣには、ホストを識別するための情報や、ホストからあるデバイスへの下りデータの開始時間、デバイスからホストへの上りデータの開始時間、次のＭＭＣ送信時間のパラメータが記載されている。このため、デバイスは、このＭＭＣを受信することにより、ホストに関する各種の情報を取得し、当該ホストとの間においてデータの授受を行うことが可能となるのである。
【００４１】
例えば、ＭＭＣ５１を受信すると、以降の上りデータ５２、下りデータ５３、上りＡＣＫ５４、次回のＭＭＣ５５のタイミングを設定することができる。同様に、次のＭＭＣ５５を受信すると、以降の上りデータ５６、下りデータ５７、上りＡＣＫ５８、次回のＭＭＣ（図示せず）のタイミングが判断できる構成になっている。
【００４２】
（６）ビーコンフレームの構成例（図７）
図７に、ビーコンフレームの構成例を示す。
このビーコンフレームは、自身の送信用ビーコンスロット期間に送信され、また、ビーコン期間に、周囲の無線通信装置が送信するビーコンフレームを受信することによって、周囲の無線通信装置との間でパラメータが交換される。
【００４３】
ビーコンフレーム６０は、図７に示したように、ＭＡＣヘッダ情報６１と、ヘッダチェックシーケンス（ＨＣＳ）６２と、ビーコンペイロード情報６３と、フレームチェックシーケンス（ＦＣＳ）６４とで構成される。
【００４４】
ＭＡＣヘッダ情報６１は、フレーム制御情報６０１と、受信先無線通信装置を識別する届け先アドレス６０２と、送信元無線通信装置を識別する送り元アドレス６０３と、シーケンス番号などのシーケンス制御情報６０４と、アクセス制御に必要なパラメータが記載されたアクセス制御情報６０５とから構成されている。
【００４５】
また、ビーコンペイロード情報６３は、無線通信装置固有のパラメータである固有情報６０６と、ビーコンスロットの利用を示したビーコン利用情報６０７と、無線通信装置のケーパビリティを示す能力情報６０８と、ハイバネーションモードで動作する場合に付加される休眠モード情報６０９と、ＤＲＰ予約をしているＭＡＳ位置を報知するＤＲＰ予約情報６１０と、ＤＲＰ予約に利用可能なＭＡＳ位置を示したＤＲＰ利用情報６１１と、ＰＣＡ通信に利用する可能性のあるＭＡＳ位置を示したＰＣＡ利用情報６１２と、受信先無線通信装置に送信するデータが存在することを示す送信表示６１３などから構成されている。
【００４６】
なお、これらの各情報エレメントは、必要に応じて追加、削除が行われてビーコンフレームが構成されてもよい。
【００４７】
（７）ＭＭＣコマンドフレームの構成例（図８）
図８に、ＭＭＣコマンドフレームの構成例を示す。
このＭＭＣコマンドフレームは、利用が設定されたＤＲＰ＿ＭＡＳにおいて、ホストからデバイスに向けて送信され、ホストの識別や、ＤＲＰ＿ＭＡＳ内の時分割多重アクセス制御に利用される。
【００４８】
ＭＭＣコマンドフレーム７０は、図８に示したように、ＭＡＣヘッダ情報７１と、ヘッダチェックシーケンス（ＨＣＳ）７２と、ＭＭＣペイロード情報７３と、フレームチェックシーケンス（ＦＣＳ）７４とで構成される。ここで、ＭＡＣヘッダ情報７１は、図７に示したビーコンフレームのＭＡＣヘッダ情報６１と同じ構成となるものが利用される。
【００４９】
ＭＭＣペイロード情報７３は、このフレームがワイヤレスＵＳＢのフレームであることを示すＷＵＳＢコード７０１と、ＭＭＣコマンドフレームであることを示すＭＭＣコード７０２と、次のＭＭＣまでの時間を示す次回ＭＭＣ情報７０３と、将来の拡張のための予約（Reserved）情報７０４と、ワイヤレスＵＳＢの同期時間情報（タイムスタンプ）のＷＵＳＢ時刻情報７０５と、ワイヤレスＵＳＢのホスト識別子であるＷＵＳＢホスト情報エレメント７０６と、ＤＲＰ＿ＭＡＳ内の時分割多重アクセス制御時間が記載されたＷＵＳＢ時間割当エレメント７０７などから構成されている。
【００５０】
なお、これらの各情報エレメントは、必要に応じて追加、削除が行われてＭＭＣコマンドフレームが構成されてもよい。
【００５１】
（８）ワイヤレスＵＳＢで定義されているコントロール転送（図９）
図９に、ワイヤレスＵＳＢで定義されているコントロール転送の一例を示す。
図９では、ワイヤレスＵＳＢのホストとデバイスの間で、接続が確保されるまでに交換されるコントロール転送を示している。
【００５２】
まず、デバイスがホストに対して、ＤＮコネクト（DN_Connect）と呼ばれる、デバイスからの接続を通知し（Ｓ１０２）、ホストからデバイスにその確認として所定のＭＭＣフレームにコネクトＡＣＫ（Connect_ACK）と呼ばれる接続の確認を含める（Ｓ１０４）。
【００５３】
さらに、所定の認証処理が行われ、ホストからデバイスにＭＭＣフレームのセットキー（Set_Key）というコントロール転送によって通知を行って（Ｓ１０６）、ＧＴＫというグループ鍵情報を送り（Ｓ１０８）、デバイスはホストにその受領確認（ＡＣＫ）を返送する（Ｓ１１０）。
【００５４】
その後、ホストからデバイスにデバイスのアドレス０を設定するＭＭＣフレームを送り（Ｓ１１２）、デバイスはホストにその受領確認（ＡＣＫ）を返送する（Ｓ１１４）。
【００５５】
そして、ホストからデバイスにデバイスのディスクリプタ（ディスクリプタ−１）を獲得するためのＭＭＣフレームを送り（Ｓ１１６）、デバイスはその要求に従って、ディスクリプタをホストに返送する（Ｓ１１８）。
【００５６】
なおこのとき、ホストはデバイスに対して、その受領確認（ＡＣＫ）を返送することができるが（Ｓ１２０）、次の命令を続けて送るようにしても良い。デバイスは再びディスクリプタ（ディスクリプタ−２）を獲得するための要求がされれば（Ｓ１２２）、その要求に従ったディスクリプタをホストに返送する（Ｓ１２４）。このときも、ホストはデバイスに対して、その受領確認（ＡＣＫ）を返送することができる（Ｓ１２６）。
【００５７】
こうして、ホストがそのデバイスのディスクリプタの記載事項を確認して認証した場合に、ホストからデバイスに固有のアドレスＮを設定するＭＭＣフレームを送り（Ｓ１２８）、デバイスはホストにその受領確認（ＡＣＫ）を返送する（Ｓ１３０）。
【００５８】
以降、必要に応じてホストからデバイスへSet_Configurationと呼ばれる環境の設定が行われる構成になっている。具体的には、ホストからデバイスに環境設定のＭＭＣフレームを送り（Ｓ１３２）、デバイスはホストにその受領確認（ＡＣＫ）を返送する（Ｓ１３４）。
【００５９】
（９）ＷＵＳＢホスト検索シーケンス（図１０）
図１０に、本実施形態にかかるＷＵＳＢホスト検索シーケンスの実施例を示す。
図１０では、デバイスの無線通信装置の電源投入後からのシーケンスを表わしている。
【００６０】
このＷＵＳＢホストの検索シーケンスは、ＵＳＢデバイス側において実行される処理であり、以下に示すような本実施形態における特徴的な処理が含まれている。すなわち、本実施形態にかかるＵＳＢデバイスにおいては、所定の周期（例えば、スーパーフレーム）毎にデバイス側におけるホッピングパターンを変化させる。周囲にＵＳＢホストが存在する場合、ホストとのホッピングパターンが合致した時点で、ＭＭＣフレームが受信されることとなり、特にホッピングパターンをホストとの間で授受することなく、自身が設定すべき、ホッピングパターンを同定することが可能となる。
【００６１】
また、受信ＭＭＣに含まれるＭＭＣ情報と、事前取得したコネクションコンテキスト（以下、「ＣＣ」という）を比較することにより認証を実行し、認証に成功した場合には、当該ＭＭＣフレームの送信元ホストを通信可能ホストとして登録する。具体的な登録方法は任意であり、当該ホストと通信を行うためのホッピングパターン等を登録する構成としても良い。そして、かかる処理を通して、登録されたホスト中、実際に通信対象となるホストに合致するホッピングパターン（ＭＭＣフレームの受信時のホッピングパターンと同一）をＰｈｙレイヤにおいて用いて通信を実行する。
【００６２】
以上の一連の処理を実行することにより、従来、ＷＵＳＢのコントロール転送を用いて実現していたアソシエーション処理を簡略化し、通信効率を向上させることが可能となるのである。以下、かかる処理の具体的な内容について詳述する。
【００６３】
まず、ワイヤレスＵＳＢにおける所定のアソシエーションの仕組みによって、事前にコネクションコンテキスト（ＣＣ）と呼ばれる情報を所定のアソシエーション処理にて交換をする（Ｓ２０２）。このＣＣの中に、接続が許可されたホストの情報がホストＩＤ（Host_ID）として組み込まれているものとする。
【００６４】
ここでＣＰＵからホストを検索するための指示（ホストスキャン（Host Scan））が呼ばれ、ＭＡＣ処理部がスキャンを行うための動作が起動される（Ｓ２０４）。
【００６５】
ＭＡＣ処理部では、所定のスーパーフレームの時間にわたり、物理チャネル１（TFC Code 1）で動作するようにＰＨＹ処理部の設定を行い、受信処置を起動させる（Ｓ２０６）。図中の参照符号Ｔはタイマであり、物理チャネル１で動作する所定のスーパーフレームの時間を表している。タイマＴについては他の物理チャネルについても同様であるが、それぞれのタイマＴの時間は同一であってもよく、異なっていてもよい。
【００６６】
ＰＨＹ処理部では、その物理チャネル１で受信を行い、何らかのフレーム受信があった場合に、ＭＡＣ処理部に対して通知（Frame Indication）を行う（Ｓ２０８）。ＭＡＣ処理部ではそのパラメータを解析し、ＭＭＣコマンドフレームであれば、ＣＰＵに情報を報告する（Ｓ２１０）。
【００６７】
ＣＰＵでは、ＭＭＣコマンドフレームから、所定のホストＩＤを抽出し（Ｓ２１２）、事前に格納されていたＣＣのホストＩＤと比較をして（Ｓ２１４）、その結果、この物理チャネルの状況を登録する（Ｓ２１６）。
【００６８】
また、ＭＡＣ処理部では、物理チャネル１での受信動作が終了すると、所定のスーパーフレームの時間にわたり、物理チャネル２（TFC Code 2）で動作するようにＰＨＹ処理部の設定を行い、受信処置を起動させ、同様の処理を行う（Ｓ２１８）。
【００６９】
さらに、物理チャネル２での受信動作が終了すると、所定のスーパーフレームの時間にわたり、物理チャネル３（TFC Code 3）で動作するようにＰＨＹ処理部の設定を行い、受信処置を起動させ、同様の処理を行う（Ｓ２２０）。
【００７０】
ここでも、ＰＨＹ処理部では、その物理チャネル３で受信を行い、何らかのフレーム受信があった場合に、ＭＡＣ処理部に対して通知（Frame Indication）を行う（Ｓ２２２）。ＭＡＣ処理部ではそのパラメータを解析し、ＭＭＣコマンドフレームであれば、ＣＰＵに情報を報告する（Ｓ２２４）。
【００７１】
ＣＰＵでは、ＭＭＣコマンドフレームから、所定のホストＩＤを抽出し（Ｓ２２６）、事前に格納されていたＣＣのホストＩＤと比較をして（Ｓ２２８）、その結果、この物理チャネルの状況を登録する（Ｓ２３０）。
【００７２】
また、物理チャネル３での受信動作が終了すると、所定のスーパーフレームの時間にわたり、物理チャネル４（TFC Code 4）で動作するようにＰＨＹ処理部の設定を行い、受信処置を起動させ、同様の処理を行う（Ｓ２３２）。なお、これ以外に周波数ホッピングを行わない物理チャネル５〜７も必要であれば、ＰＨＹ処理部の設定を行い同様の処理を行っても良い。
【００７３】
このようにして全ての物理チャネルのスキャンが終了すると、ＭＡＣはＣＰＵにスキャン終了通知を出す（Ｓ２３４）。ＣＰＵでは、登録された各物理チャネルの状況から、利用可能なＰＨＹチャネルを判定する（Ｓ２３６）。そして、実際に動作させるチャネルを選定すると、ＭＡＣに対してホストと同じチャネルでの動作を設定する（Ｓ２３８）。
【００７４】
さらに、ＭＡＣ処理部は、以降その物理チャネルで動作をするように、ＰＨＹ処理部の設定を行うとともに、所定のスーパーフレームの時間にわたり、ホストのビーコン受信を行う（Ｓ２４０）。
【００７５】
ＰＨＹ処理部では、その物理チャネルで受信を行い、何らかのフレーム受信があった場合に、ＭＡＣ処理部に対して通知（Frame Indication）を行う（Ｓ２４２）。ＭＡＣ処理部ではそのパラメータを解析し、ビーコンフレームであれば、ＣＰＵに情報を報告する（Ｓ２４４）。
【００７６】
ＣＰＵでは、ビーコンフレームの受信時間情報からスーパーフレームの開始時刻（ＢＰＳＴ）を把握する（Ｓ２４６）。さらに自己の利用するビーコンスロットを特定し、送信するビーコンのパラメータを設定し、ビーコン送信指示をＭＡＣに伝える（Ｓ２４８）。さらに、ホストの存在をＵＳＢデバイスに対して通知する（Ｓ２５０）。
【００７７】
以降ＭＡＣは、スーパーフレームの先頭（ＢＰＳＴ）が到来したらビーコン受信を開始し、自身のビーコン送信時間が到来したらビーコン送信を行う（Ｓ２５２）。
【００７８】
（１０）周波数ホッピングの実施例（図１１）
図１１は、周波数ホッピングの実施例を示す。
図１１は、マルチバンドＯＦＤＭ方式のウルトラワイドバンド無線通信システムにおいて規定された、サブバンドの周波数ホッピングの実施例を示したものである。
【００７９】
まずサブバンド１で所定のシンボル間に情報ビットが送信され、次にサブバンド２で所定のシンボル間に情報ビットが送信され、さらにサブバンド３で所定のシンボル間に情報ビットが送信され、この動作をくり返すことで、連続的に情報が送信されることを示している。
【００８０】
（１１）ＰＨＹチャネルの構成例（図１２）
図１２は、マルチバンドＯＦＤＭ方式におけるＰＨＹチャネルの構成例を示す。
図１２では、ＴＦＣと呼ばれるコードによって、周波数ホッピングを行うパターンが異なることによって、各物理チャネルが定義されている様子を示している。
【００８１】
ＴＦＣ：１は、サブバンド１→サブバンド２→サブバンド３→サブバンド１→サブバンド２→サブバンド３→・・・と順番に利用するサブバンドが変化する。
【００８２】
ＴＦＣ：２は、サブバンド１→サブバンド３→サブバンド２→サブバンド１→サブバンド３→サブバンド２→・・・と順番に利用するサブバンドが変化する。
【００８３】
ＴＦＣ：３は、サブバンド１→サブバンド１→サブバンド２→サブバンド２→サブバンド３→サブバンド３→・・・と順番に利用するサブバンドが変化する。
【００８４】
ＴＦＣ：４は、サブバンド１→サブバンド１→サブバンド３→サブバンド３→サブバンド２→サブバンド２→・・・と順番に利用するサブバンドが変化する。
【００８５】
さらに、マルチバンドＯＦＤＭ方式におけるＴＦＣコードでは、周波数ホッピングを行わないパターンも用意されている。
【００８６】
ＴＦＣ：５は、サブバンド１のみを連続的に利用し、ＴＦＣ：６は、サブバンド２のみを連続的に利用し、ＴＦＣ：７は、サブバンド３のみを連続的に利用するものである。
【００８７】
このようなＴＦＣの設定に応じて、利用される物理チャネルが設定される構成になっている。
【００８８】
また、図１２に示した一例では、バンドグループ１というサブバンド１〜サブバンド３を利用したものであるが、将来、より高い周波数帯であるバンドグループ２が利用されると、同様にしてサブバンド４〜サブバンド６が利用され、バンドグループ３が利用されると、同様にしてサブバンド７〜サブバンド９が利用されていく。なお、これらバンドグループ２や３も、バンドグループ１と併用してＰＨＹチャネルが構成されるようにしてもよい。
【００８９】
（１２）無線通信装置の構成例（図１３）
図１３は、本実施形態にかかる無線通信装置の構成例を示している。
無線通信装置８００は、図１３に示したように、所定の高周波無線信号を無線媒体上に送受信するためのアンテナ８０１と、受信した高周波信号を増幅し受信信号に変換し、送信する信号を増幅し高周波信号に変換する高周波無線処置部８０２と、所望の受信信号を所定の復調処理を施して情報ビットを構築し、送信する情報ビットを変調処理して送信信号する物理層ベースバンド部８０３と、を備えて構成されている。
【００９０】
さらに無線通信装置８００は、利用するＰＨＹチャネルを設定するためのＰＨＹチャネル設定部８０４と、ホストが利用しているＰＨＹチャネルを検索するためのスキャン設定部８０５と、そのＰＨＹチャネルの信号を検出するチャネル検出部８０６と、検出した信号の中からホストのＭＭＣフレームを抽出するホスト検出部８０７と、自己と接続可能なホストの情報を管理するたホスト情報管理部８０８と、を備えて構成されている。ホスト検出部８０７は本発明のホスト検出部の一例であり、自己がデバイスとして接続可能な１または複数のホストを検出する。
【００９１】
さらに無線通信装置８００は、周囲に存在する通信装置のビーコンを解析するビーコン信号解析部８０９と、受信したビーコンに記載された情報を管理するビーコン情報管理部８１０と、自己が送信をするビーコンを生成するビーコン生成部８１１と、を備えて構成されている。
【００９２】
さらに無線通信装置８００は、所定のワイヤレスＵＳＢアソシエーション手順によって、ワイヤレスＵＳＢデバイスが、接続可能となるホストの識別子などの情報交換処理を行うアソシエーション処理部８１２を備えて構成されている。
【００９３】
さらに無線通信装置８００は、ホストと接続完了後、ビーコンに記載された予約情報から送受信に利用するタイムスロット（ＭＡＳ）を設定する利用ＤＲＰ＿ＭＡＳ管理部８１３と、そのＤＲＰ＿ＭＡＳでホストから送られてくるＭＭＣコマンドフレームを解析するＭＭＣコマンド解析部８１４と、ＭＭＣコマンドフレームで指定されたタイミングにデータの送受信動作を行うデータ送受信設定部８１５と、を備えて構成されている。
【００９４】
さらに無線通信装置８００は、送信するデータや受信したデータを格納するデータバッファ８１６と、この無線通信装置に接続される機器との間でデータの受け渡しを行うアプリケーションインタフェース８１７と、無線通信装置における一連の動作を指示するためのソフトウェア８１８と、通信装置の状態を表わしたり、動作の設定を行ったりするユーザインタフェース８１９と、を備えて構成されている。
【００９５】
ソフトウェア８１８には、コンピュータ稼働形式の実行命令形式で動作プログラム８１８ａが記述され、アソシエーション処理で獲得したホストＩＤ８１８ｂが記憶され、所定の暗号処理を行うための暗号情報８１８ｃも格納され、データバッファ８１６を管理するバッファ管理情報８１８ｄも記憶されている。ＣＰＵ８１８は、この無線通信装置８００における様々な処理を実行するとともに、他の構成要素（機能部）に処理を実行させる。ＣＰＵ８００は、本発明のホスト選定部およびネットワーク形成部８１８として機能する。すなわち、ＣＰＵ８００は、ホスト検出部８０７で検出したホストの識別子により、無線通信装置８００がデバイスとして接続するホストを選定する。また、選定したホストと同じネットワーク（ネットワーククラスタ）を形成する。
【００９６】
図１０と図１３との関係について、図１３に示した構成要素のうち、アンテナ８０１、高周波無線処置部８０２、および物理層ベースバンド部８０３は、図１０のＰＨＹに相当する。また、図１３のＰＨＹチャネル設定部８０４、チャネル検出部８０６、ビーコン信号解析部８０９、ビーコン生成部８１１、ＭＭＣコマンド解析部８１４、およびデータ送受信設定部８１５は、図１０のＭＡＣに相当する（後述の図１４の説明において、これら構成要素をＭＡＣ処理部と称する。）。また、図１３のスキャン設定部８０５、ホスト検出部８０７、ビーコン情報管理部８１０、利用ＤＰＲ＿ＭＡＳ管理部８１３、およびソフトウェア８１８は、図１０のＣＰＵに相当する。また、図１３のホスト情報管理部８０８およびアソシエーション処理部８１２は、図１０のＷＵＳＢに相当する。
【００９７】
（１３）無線通信装置の動作（図１４）
図１４に、本実施形態にかかる無線通信装置の動作フローチャートを示す。
図１４に示した動作フローチャートにおいて、Ｓ３０２〜Ｓ３１６およびＳ３０８から分岐したＳ３２６、３２８についてはＭＡＣ処理部における処理であり、その他のＳ３１８〜Ｓ３２４、Ｓ３３０〜Ｓ３４４についてはＣＰＵにおける処理である。
【００９８】
無線通信装置は電源が投入されると、ＭＡＣ処理部は、ホスト検索処理のために、所定の物理チャネルの設定（Ｓ３０２）と、スキャン時間の設定（Ｓ３０４）を行う。
【００９９】
その後、ＭＡＣ処理部は、ＭＭＣコマンドフレームの受信処理（Ｓ３０６）を、スキャン時間内に渡って継続し（Ｓ３０８）、何らかの受信があれば（Ｓ３１０）、利用チャネルとして登録をし（Ｓ３１２）、ＭＭＣコマンドフレームを受信していれば（Ｓ３１４）、ＷＵＳＢチャネルとして登録を行う（Ｓ３１６）。そしてＣＰＵは、受信したＭＭＣコマンドフレームに記載されるホストＩＤ情報を抽出し（Ｓ３１８）、すでにアソシエーション処理により獲得してあるホストＩＤ情報を獲得した上で（Ｓ３２０）、登録のあるホストＩＤであれば（Ｓ３２２）、ホストチャネルとしてその物理チャネルを登録しておく（Ｓ３２４）。
【０１００】
上記処理の完了後、またはフレームの受信のない場合、ＭＭＣコマンドフレーム以外であった場合、登録のあるホストＩＤでなかった場合も、それぞれＳ３０６に戻り、一連のスキャン処理を継続する。
【０１０１】
スキャン時間が経過した場合（Ｓ３０８のＮｏの分岐）には、ＭＡＣ処理部は物理チャネルを変更し（Ｓ３２６）、全てのチャネルのスキャンが完了していれば（Ｓ３２８）、チャネル設定処理に移行する。全てのチャネルのスキャンが完了していなければ、Ｓ３０２に移行し、次の物理チャネルの設定でスキャン動作をくり返す構成になっている。
【０１０２】
ＣＰＵによるチャネル設定処理では、今までホストチャネルとして登録された物理チャネルがあって（Ｓ３３０）、それが唯一のホストチャネルであれば（Ｓ３３２）、その物理チャネルを動作チャネルとして設定する（Ｓ３３４）。
【０１０３】
しかし、複数の物理チャネルがホストチャネルとして登録されていれば（Ｓ３３２のＮｏの分岐）、ＣＰＵはホストの物理チャネルが複数存在することを、例えばユーザインタフェースを用いて表示を行って（Ｓ３３６）、その後、利用チャネルが指定された場合には（Ｓ３３８）、その物理チャネルを動作チャネルとして設定する（Ｓ３３４）。
【０１０４】
また、ホストチャネルがない場合（Ｓ３３０のＮｏの分岐）で、ＷＵＳＢチャネルがあれば（Ｓ３４０）、ＣＰＵはそのＷＵＳＢチャネルの任意のチャネルを選定し（Ｓ３４２）、その物理チャネルを動作チャネルとして設定する（Ｓ３３４）。他方、ＷＵＳＢチャネルがなければ（Ｓ３４０のＮｏの分岐）、ＣＰＵは例えばユーザインタフェースを用いて、ＵＳＢチャネルやホストチャネルが存在しない旨の表示を行う（Ｓ３４４）。
【０１０５】
以上、本実施形態にかかる無線通信装置８００の構成および動作について説明した。かかる無線通信装置８００は、コンピュータに上記機能を実現するためのコンピュータプログラムを組み込むことで、コンピュータを無線通信装置８００として機能させることが可能である。かかるコンピュータプログラムは、所定の記録媒体（例えば、ＣＤ−ＲＯＭ）に記録された形で、あるいは、電子ネットワークを介したダウンロードの形で市場を流通させることが可能である。
【０１０６】
（本実施形態の効果）
以上説明したように、本実施形態によれば、デバイスとなる無線通信装置において、所定の期間にわたり受信動作を行うことで、ホストとなる無線通信装置の存在を把握できるという効果を奏する。
【０１０７】
物理チャネルを変えてスキャンを行うことにより、他のチャネルに存在する無線通信装置の存在を把握することができるという効果を奏する。
【０１０８】
また、受信した所定のワイヤレスＵＳＢコマンドフレーム情報に記載されたホストの識別子より、ホストとなる無線通信装置の存在する物理チャネルを検索する方法が得られるという効果を奏する。
【０１０９】
また、ホストが存在する物理チャネルでビーコン信号を交換しあうことによって、ホストとなる機器に接続された無線通信装置のネットワーククラスタへ参入する方法が得られるという効果を奏する。
【０１１０】
また、事前にアソシエーション処理によりホスト識別子を取得しておくことで、ホストの存在する物理チャネルを容易に検出する方法が得られるという効果を奏する。
【０１１１】
また、自己デバイスと接続可能なホストを複数検出した場合は、接続可能なホスト情報を表示し、利用者が選択したホストの存在する物理チャネルを選定することで、利用者の意図するホストへ接続することができるという効果を奏する。
【０１１２】
また、自己デバイスと接続可能なホストを検出できなかった場合には、他のＵＳＢホストが存在する物理チャネルを選定することで、新たなホストと認証関係を得ることができるという効果を奏する。
【０１１３】
以上、添付図面を参照しながら本発明にかかる無線通信装置、無線通信方法、無線通信システム、およびコンピュータプログラムの好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【０１１４】
（産業上の利用可能性）
本発明は無線通信装置、無線通信方法、無線通信システム、およびコンピュータプログラムに利用可能であり、特に、ワイヤレスＵＳＢ（Wireless Universal Serial Bus：ＷＵＳＢ）規格にて定義されたシリアルバス伝送路上で所定の信号を無線で送受信する無線通信装置、無線通信方法、無線通信システム、およびコンピュータプログラムに利用可能である。
【図面の簡単な説明】
【０１１５】
【図１】ワイヤレスＵＳＢのシステム構成例を示す説明図である。
【図２】ワイヤレスＵＳＢのシステム構成例を示す説明図である。
【図３】スーパーフレームの構成例を示す説明図である。
【図４】ビーコンスロットの利用設定例を示す説明図である。
【図５】ＤＲＰ＿ＭＡＳの設定例を示す説明図である。
【図６】ＤＲＰ＿ＭＡＳの中でのアクセス制御を示す説明図である。
【図７】ビーコンフレームの構成例を示す説明図である。
【図８】ＭＭＣコマンドフレームの構成例を示す説明図である。
【図９】ワイヤレスＵＳＢで定義されているコントロール転送を示す説明図である。
【図１０】ＷＵＳＢホスト検索シーケンスを示す説明図である。
【図１１】周波数ホッピングの実施例を示す説明図である。
【図１２】ＰＨＹチャネルの構成例を示す説明図である。
【図１３】無線通信装置の構成例を示す説明図である。
【図１４】無線通信装置の動作フローを示す説明図である。
【符号の説明】
【０１１６】
６０  ビーコンフレーム
７０  ＭＭＣコマンドフレーム
１００  アドホックネットワーク
１１１、１１２、・・・、１１５  無線通信装置
１２１、１２１、・・・、１２５  電波到達範囲
８００  無線通信装置
８０１  アンテナ
８０２  高周波無線処置部
８０３  物理層ベースバンド部
８０４  ＰＨＹチャネル設定部
８０５  スキャン設定部
８０６  チャネル検出部
８０７  ホスト検出部
８０８  ホスト情報管理部
８０９  ビーコン信号解析部
８１０  ビーコン情報管理部
８１１  ビーコン生成部
８１２  アソシエーション処理部
８１３  利用ＤＰＲ＿ＭＡＳ管理部
８１４  ＭＭＣコマンド解析部
８１５  データ送受信設定部
８１６  データバッファ
８１７  アプリケーションインタフェース
８１８  ソフトウェア
８１９  ユーザインタフェース
【図１】
0004826329.tif 000002
【図２】
0004826329.tif 000003
【図３】
0004826329.tif 000004
【図４】
0004826329.tif 000005
【図５】
0004826329.tif 000006
【図６】
0004826329.tif 000007
【図７】
0004826329.tif 000008
【図８】
0004826329.tif 000009
【図９】
0004826329.tif 000010
【図１０】
0004826329.tif 000011
【図１１】
0004826329.tif 000012
【図１２】
0004826329.tif 000013
【図１３】
0004826329.tif 000014
【図１４】
0004826329.tif 000015